(57)【特許請求の範囲】
【請求項１】
コンクリート中への埋設物の設置位置を墨出しするための墨出し方法であって、印刷および切抜きが可能なシートに埋設物の設置位置を、製作図面の情報を基に実寸で切り抜く工程と、前記シートをコンクリート打設面にセットして前記シートの切抜き部分をテンプレートとして墨出しを行なう工程とを有し、前記コンクリート打設面を、前記シートの幅および長さ以内の幅および長さの複数の区画に分け、前記複数の区画の全てまたは一部の区画における埋設物の設置位置を、１枚のシートに重ね合わせた形で切り抜くとともに、前記切抜き部分の近傍には、前記埋設物の種類または用途、および使用する区画に応じた識別のための印刷を色分けして行ない、１枚のシートを、順次、複数の区画で使用することを特徴とする墨出し方法。
【請求項２】
前記埋設物の種類または用途の識別のための印刷を記号化して行うとともに、該埋設物を使用する区画に対応する数字を記入することを特徴とする請求項１の墨出し方法。
【請求項３】
前記シートの切抜きを印刷用のペンプロッターに装着されるカッター刃により行なうことを特徴とする請求項１または２記載の墨出し方法。
【請求項４】
前記埋設物が各種工事用のインサート金具、または空隙形成用のスリーブであることを特徴とする請求項１、２または３記載の墨出し方法。
【発明の詳細な説明】
【技術分野】
【０００１】
本発明は、コンクリートの打設の際、コンクリート中への埋設物の設置位置を墨出しするための墨出し方法に関するものである。主として、建物の床スラブ、橋梁の桁材等として用いられるプレキャストコンクリート部材（以下、「ＰＣａ部材」という。）を製造する際の型枠、あるいは定盤への墨出しに利用されるが、現場打ちコンクリートへの利用なども可能である。
【背景技術】
【０００２】
床スラブ用のＰＣａ部材を例にとると、ＰＣａ部材には製造時に各種工事用のインサート金具や空隙形成用のスリーブ、内型枠等が埋め込まれる。その場合、これらの埋設物の位置を成形用の型枠に墨出しすることが行なわれる。
【０００３】
従来の方法としては、製作図面に基づいて、手作業でけがきしたり、ペイントマーカー等で墨出しを行うのが一般的である。その場合、まず、基準線を墨打ちし、製作図面に記載されている寸法を直尺、曲尺を使用して一箇所ずつ墨出しして行く。この作業を製作する部材が変わるたびに行なうことになる。
【０００４】
また、ＰＣａ部材製造用の大掛かりな設備としては、製図用のＸＹプロッターの機能を有し、型枠を形成する定盤上を走行するようにした墨出し用のマーキング装置がある（例えば、特許文献１参照）。
【０００５】
この他、本発明とは直接関連しないが、墨出し方法に関する技術として、特許文献２、３に記載されたものがある。
【０００６】
特許文献２には、下階から上階へ地墨ポイントを移して上階に地墨基準線を引く際に用いられる墨出し治具として、墨出し位置に孔部が穿設された床型枠堰板の孔部の周囲に下端部が固着された支柱と、この支柱の上端部に、現場打ちコンクリートの上面よりも上方に位置するようにして孔部を跨いで配設された透明板とを備えた墨出し治具が記載されている。
【０００７】
特許文献３には、建物の施工における基準レベルを墨出しする方法として、型枠工事に際して鉄筋に対して磁石を取り付けてその磁石の中心位置を基準レベルに合致させておき、コンクリート打設に際しては磁石をそのままコンクリート中に埋設し、仕上げ工事に際してはコンクリート表面から磁石の中心位置を検出してその検出位置を基準レベルとしてコンクリート表面にマーキングするようにした墨出し方法が記載されている。
【０００８】
【特許文献１】特開平１０−１６６７０４号公報
【特許文献２】特開平０９−１４５３７２号公報
【特許文献３】特開２００５−０９８７５０号公報
【発明の開示】
【発明が解決しようとする課題】
【０００９】
従来の一般的な墨出し方法は、手作業であるため、寸法の読み違いや、墨打ち、けがきなどの精度により、単純な間違いや精度上の問題が発生しやすい。
【００１０】
特に、１つの製品に埋め込まれる金具類の数量が多い場合、この墨出し作業に時間と労力がかかり過ぎ、生産の効率化に影響を及ぼす。また、同一型枠で同一の製品を製作して行く場合は、以前けがいた印を利用できるが、同一型枠で複数種の製品を製作する場合にはけがいた部分が重なり合い、判別が困難になり、取付け位置間違いなどのミスが発生する恐れがある。
【００１１】
また、定盤上を走行する大掛かりなマーキング装置の場合、設備コストがかかり、注文生産で多種類のコンクリート製品を製作するような場合には適さない。また、現場打ちコンクリートの施工には利用できない。
【００１２】
本発明は、室内にも設置できる一般的なペンプロッター等があれば、現場において特別の設備を必要とすることなく、正確な墨出し作業を簡単に安価に行なうことができる墨出し方法を提供することを目的としたものである。
【課題を解決するための手段】
【００１３】
本願の請求項１に係る発明は、コンクリート中への埋設物の設置位置を墨出しするための墨出し方法であって、印刷および切抜きが可能なシートに埋設物の設置位置を、製作図面の情報を基に実寸で切り抜く工程と、前記シートをコンクリート打設面にセットして前記シートの切抜き部分をテンプレートとして墨出しを行なう工程とを有することを特徴とするものである。
【００１４】
本発明は、前述のように、主として、建物の床スラブ、橋梁の桁材等として用いられるＰＣａ部材の製造に利用されるが、必ずしもＰＣａ部材の製造に限定されず、現場打ちコンクリートの墨出しにも適用可能である。
【００１５】
シートとしては、コンクリート打設面にセットする際、打設面がある程度透視でき、簡単に千切れたりしない耐久性を備え、かつ印刷が明瞭に見える半透明のフィルム状のシートが望ましい。
【００１６】
そのようなものとしては、ペンプロッター（ＸＹプロッター）用の合成紙等がある。ロール状に巻いたものとしては、例えば幅９２０ｍｍ×長さ５０ｍ等、種々の寸法のものが市販されている。
【００１７】
ただし、印刷が可能で切抜きが容易で、必要な耐久性を備え、伸縮の少ないものであれば、特に限定されず、不透明のシート、透明なシートでもよい。
【００１８】
墨出し位置は、製作図面の情報をペンプロッター等に入力することで、シートに実寸で描くことができる。また、ペンプロッターの場合、切れ目を入れたり、あるいは切抜くためのカッター刃を印刷用のペンと同様に取り付けられるようにしたものがあり、印刷と同時に切抜きを行なうこともできる。
【００１９】
印刷または切抜き（切れ目だけを付け、後から除去する場合や、印刷のみ行い、別途、後から切り抜く場合も含む。以下、同様。）等を行なったシートは、工場または現場のコンクリート打設面にセットすることで、テンプレートとして利用することができ、切抜き部分に墨出しを行う。なお、ここで言う墨出しは、ペイントマーカーなどを利用した墨出しに限定されず、けがきなども含めた意味での墨出しである。
【００２０】
以上により、実寸の墨出しを極めて簡単に行うことができ、かつ製作図面の情報をそのまま利用するので、作業員の錯誤や計測ミスの問題もない。
【００２１】
請求項１に係る墨出し方法においては、さらに前記コンクリート打設面を、前記シートの幅および長さ以内の幅および長さの複数の区画に分け、前記複数の区画の全てまたは一部の区画における埋設物の設置位置を、１枚のシートに重ね合わせた形で切り抜き、１枚のシートを、順次、複数の区画で使用することを特徴とする。
【００２２】
印刷、切抜き等を製図用のペンプロッター等で行なう場合、長さ方向については印刷されるシートの送り出しにより、かなりの長尺の印刷、切抜き等が可能であるが、幅方向についてはプロッターの幅や用紙の幅の制約を受けるため、１ｍ程度以内が通常である。
【００２３】
一方、例えば床スラブ用のＰＣａ部材の場合、幅が数ｍとなる場合が多いため、１つのＰＣａ部材の面積全部をカバーするシートの印刷、切抜き等を行なうことは難しい。もっとも、床スラブ用のＰＣａ部材の場合、コンクリートの打設自体、複数の区画に分けて行なうのが通常である。
【００２４】
そこで、本発明では、コンクリート打設面を、シートの幅および長さ以内の幅および長さの複数の区画に分けることとし、さらにその複数の区画の全てまたは一部の区画における埋設物の設置位置を、１枚のシートに重ね合わせた形で切り抜いておき、１枚のシートを、順次、複数の区画で使用するようにして、シートの節約を図っている。
【００２５】
この場合、シートの節約になるばかりでなく、シートの枚数が数分の１となることで管理が容易となり、コンクリートの打設に合わせ、順次、横へずらして行けばよいので、取扱いにおける煩雑さもないという利点がある。
【００２６】
なお、各区画の寸法は、必ずしも一律である必要はない。
【００２７】
さらに、請求項１に係る墨出し方法においては、前記切抜き部分の近傍に、前記埋設物の種類または用途、および使用する区画に応じた識別のための印刷を色分けして行なうことを特徴とする。
【００２８】
本発明のように、複数の区画の全てまたは一部の区画における埋設物の設置位置を、１枚のシートに重ね合わせた形で切り抜く場合、どの切抜きがどの区画のものであるか識別できるようにしておく必要がある。
【００２９】
本発明では製作図面の情報をそのまま利用するので、ペンプロッター等のデータとして変換する際に、区画に対応する数字を記入したり、埋設物の種類や用途等を記号化したり色分けして印刷することで、作業性を向上させることができる。
【００３０】
請求項２は、請求項１に係る墨出し方法において、前記埋設物の種類または用途の識別のための印刷を記号化して行うとともに、該埋設物を使用する区画に対応する数字を記入することを特徴とするものである。
請求項３は、請求項１または２に係る墨出し方法において、前記シートの切抜きを印刷用のペンプロッターに装着されるカッター刃により行なうことを特徴とするものである。
【００３１】
市販のペンプロッターでは、異なる色の複数のペンの他、オプション製品としてペンをカッター刃に置き換えて装着できるようにしたものがあるので、そのようなペンプロッターを利用することで、複数色の印刷と切抜きを同時に行なうことができ、効率的である。
【００３２】
請求項４は、請求項１、２または３に係る墨出し方法において、前記埋設物が各種工事用のインサート金具、または空隙形成用のスリーブであることを特徴とするものである。
【００３３】
例えば、床スラブ用のＰＣａ部材に用いるインサート金具については、部材自体の取り付けや接続に利用する建築用のインサート金具の他、設備用、電気用のインサート金具等があらかじめ埋設される。
【００３４】
また、スリーブとしては、配管スペースを設けるためのスリーブの他、空隙による軽量化のためのスリーブ等がある。
【発明の効果】
【００３５】
本発明によれば、印刷または切抜き等を行なったシートを工場または現場のコンクリート打設面にセットすることで、テンプレートとして利用することができ、実寸の墨出しを極めて簡単に行うことができ、かつ製作図面の情報をそのまま利用するので、作業員の錯誤や計測ミスの問題もない。
【００３６】
また、コンクリート打設面を、シートの幅および長さ以内の幅および長さの複数の区画に分け、埋設物の設置位置を１枚のシートに重ね合わせた形で切り抜いておき、１枚のシートを、順次、複数の区画で使用するようにしたため、シートの節約が図れるだけでなく、シートの管理が容易となり、取扱いにおける煩雑さもない。
【００３７】
また、本発明では製作図面の情報をそのまま利用するので、製作図面の情報をペンプロッター等のデータとして変換する際に、区画に対応する数字を記入したり、埋設物の種類や用途等を記号化したり色分けして印刷することで、作業性を向上させることができる。
【００３８】
さらに、シートの切抜きを印刷用のペンプロッターに装着されるカッター刃により行なうようにすれば、複数色の印刷と切抜きを同時に行なうこともでき、効率的である。
【発明を実施するための最良の形態】
【００３９】
図１は、本発明を床スラブ用ＰＣａ部材の製造に利用する場合のＰＣａ部材とシートに対応する区画の分割の関係を例示的に示した図である。
【００４０】
ここでは、一例として、床面に、それぞれ長さＬ＝７３００ｍｍで、幅Ｂ1、Ｂ2、Ｂ3＝２４７０ｍｍ、Ｂ4＝１８９０ｍｍ、Ｂ5＝１３９０ｍｍの５枚の半ＰＣａ板（厚さ７５ｍｍで上面にトラス筋が突出するように工場で一体製作する）Ｐ1〜Ｐ5を設置し、その上に、現場打ちコンクリートを打設し、スラブ厚２８０ｍｍとする場合を例とし、半ＰＣａ板Ｐ3とについて３つの区画（ゾーン）Ｚ31、Ｚ32、Ｚ33、Ｐ4について３つの区画Ｚ41、Ｚ42、Ｚ43に分けた場合を示している。
【００４１】
図中、１ａ〜１ｅは、それぞれ異なる径のスリーブを埋設する位置を示し、２ａ、２ｂ、２ｃは、それぞれ、設備用、建築用、電気用のインサート金具を埋設する位置、３はダメ穴（工事中の資材や型枠材などの搬入・搬出に使用する穴）の位置を示している。
【００４２】
このうち、半ＰＣａ板Ｐ4について見ると、工場での製造においては、まず、このような製作図面のデータをもとに、コンピュータ上で、区画Ｚ31、Ｚ32、Ｚ33の寸法や、スリーブ１ａ、１ｅ、インサート金具２ａ、ダメ穴３の位置等をシート（図３参照）に印刷したり、切り抜くためのデータに変換し、ぺンプロッターで、好ましくは半透明のフィルム状のシートに印刷し、穴の加工を行なう。なお、穴の切抜きはぺンプロッターのペンの一つとしてカッター刃を装着すれば、印刷と同時に行なうことができる。
【００４３】
このとき、３つの区画Ｚ31、Ｚ32、Ｚ33のデータを１枚のシートに重ね合わせることで、シートが節約でき、かつシート枚数が減ることで、多数枚のシートを扱う場合に比べ、現場作業おける煩雑さも減少する。
【００４４】
床スラブ用の半ＰＣａ板の場合、型枠として、定盤の上に、墨出しを行ない、側型枠や埋設物を設置し、コンクリートの打設を複数区画に分けて行なうことが多い。本発明ではその際、印刷および切抜きを行なったシートを定盤上にテンプレートとしてセットし、切抜き部分にペイントマーカーなどで墨出しを行なう。墨出し後は、シートをはずし、その区画についてコンクリートを打設する。
【００４５】
シートはさらに、順次、他の区画へ移動させながら、それぞれの区画の対応位置についての墨出し、コンクリートの打設を行ない、所定の養生の後、１枚の半ＰＣａ板が完成することになる。また、シートは必ずしも１枚の半ＰＣａ板について１枚必要ということではなく、例えば上下階で同じ半ＰＣａ板を用いる場合には、複数枚の半ＰＣａ板の製造に転用することができる。
【００４６】
なお、以上は床スラブ用の半ＰＣａ板を例に説明したが、それ以外のものについても、製作図面の情報を基に、シートに埋設物の設置位置を、実寸で切り抜き、また必要に応じ補助線や識別のための印刷を行ない、そのシートをテンプレートとしてコンクリート打設面にセットし、墨出しを行なうという点については同様である。
【００４７】
図２は、床スラブ用のＰＣａ部材への埋設物の切抜き部分の種類や識別の記号の一例を数量表の形で例示的に示したものである。なお、便宜上、図１のものと一部対応させているが、同一ではない。
【００４８】
図３は、シートＳの切抜き部分近傍の識別のための表示を例示的に示した図である。識別のための表示は任意であり、図１、図２のものとは必ずしも対応していない。
【００４９】
この例では、スリーブ位置１については、切抜き１１ａの外周に中心線１１ｂとともに、外周表示線１１ｃを印刷することで、目視と切抜き１１ａ内へのスリーブの設置を容易にしている。
【００５０】
また、インサート金具位置２ｂについては、切抜き２１ａの外側に中心線２１ｂとともに、外周表示線２１ｃを、さらに用途識別図形２１ｄを印刷することで、目視と切抜き２１ａ内へのインサート金具の設置を容易にしている。
【００５１】
なお、用途識別図形２１ｄの形状のほか、線の色を変えることで（インサート金具側にも同色のマークなどを入れておく）、インサート金具の用途を区別することもできる。
【００５２】
また、図中の丸付き数字は、１枚のシートＳを横へ移動させながら複数の区画に使用する場合の区画番号であり、１枚のシートに複数の区画のスリーブ位置１やインサート金具位置２ａ、２ｂ等を切り抜き、また目印や識別のための印刷を行なった場合に、どの区画のものかを区別することができる。
【図面の簡単な説明】
【００５３】
【図１】本発明を床スラブ用ＰＣａ部材の製造に利用する場合のＰＣａ部材とシートに対応する区画の分割の関係を例示的に示した図である。
【図２】切抜き部分の種類を表の形で例示的に示した図である。
【図３】シートの切抜き部分近傍の識別のための表示を例示的に示した図である。
【符号の説明】
【００５４】
Ｓ…シート、
Ｐ1、Ｐ2、Ｐ3、Ｐ4、Ｐ5…半ＰＣａ板、
Ｚ31、Ｚ32、Ｚ33、Ｚ41、Ｚ42、Ｚ43…区画（ゾーン）、
１、１ａ、１ｂ、１ｃ、１ｄ、１ｅ…スリーブ（位置）、
２ａ、２ｂ、２ｃ…インサート金具（位置）、
３…ダメ穴（位置）
１１ａ…切抜き、１１ｂ…中心線、１１ｃ…外周表示線、
２１ａ…切抜き、２１ｂ…中心線、２１ｃ…外周表示線、２１ｄ…用途識別図形
【図１】
0005361183.tif 000002
【図２】
0005361183.tif 000003
【図３】
0005361183.tif 000004